(57)【要約】【課題】比較的簡単な構成によりスライド回転型の両筐体の閉鎖時の位置決め保持を良好に行う。【解決手段】上部筐体１０２と下部筐体２０２は、それぞれの一端部において、ヒンジ部２３０により、互いにスライド回転可能に支持される。前記一端部と逆の端部側において、前記上部筐体を前記下部筐体に対して離脱可能に係合させる位置決め手段が設けられる。位置決め手段は、上部筐体１０２および下部筐体２０２の互いに対向する面に設けられ、突起支持部材１１１に設けられた突起部１１２とこの突起部１１２が嵌合する摺動接触部材２１１に設けられた凹部２１２とにより構成される。【選択図】図５
2005117450.tif 000002
【特許請求の範囲】
【請求項１】
上部筐体および下部筐体と、
前記上部筐体および前記下部筐体の各々の一端部において、両筐体の一方に対して他方をスライド回転可能に両筐体を支持し、両筐体を開放状態または閉鎖状態とすることができるヒンジ部と、
前記一端部と逆の端部側において、前記上部筐体を前記下部筐体に対して離脱可能に係合させることにより前記閉鎖状態での位置決めを行う位置決め手段と、
を備えたことを特徴とする携帯端末装置。
【請求項２】
前記閉鎖状態において、前記上部筐体は前記下部筐体に対して時計方向および反時計方向のいずれの方向にも回転可能である請求項１記載の携帯端末装置。
【請求項３】
前記位置決め手段は、前記上部筐体および前記下部筐体の互いに対向する一方の面に設けられた突起部と、他方の面に設けられ前記突起部が嵌合する凹部とにより構成されることを特徴とする請求項１または２記載の携帯端末装置。
【請求項４】
前記凹部を有する筐体は、少なくとも前記突起部の回転軌跡に沿って設けられた摺動接触部材を有し、この摺動接触部材の少なくとも１カ所に前記凹部が形成されていることを特徴とする請求項１または２記載の携帯端末装置。
【請求項５】
前記摺動接触部材は、前記突起部の回転軌跡に対応する位置に形成された突条を有することを特徴とする請求項４記載の携帯端末装置。
【請求項６】
前記摺動接触部材は前記筐体の材料より摩擦係数の低い材料により形成されることを特徴とする請求項１または２記載の携帯端末装置。
【請求項７】
前記突起部および前記凹部は、少なくとも前記突起部の回転軌跡に沿う方向に沿って左右対称の傾斜面を有し、前記突起部が前記凹部に嵌合しているとき、前記突起部の両側の傾斜面において前記突起部が前記凹部の表面に接触し、前記突起部の先端部は前記凹部の表面に接触しないよう構成されていることを特徴とする請求項１または２記載の携帯端末装置。
【請求項８】
前記上部筐体の常時露出した主表面には表示部および限定された操作を行う操作部が設けられ、開放状態の時のみ露出する前記下部筐体の主表面には押圧操作されるキー入力部が設けられたことを特徴とする請求項１または２記載の携帯端末装置。
【発明の詳細な説明】
【技術分野】
【０００１】
本発明は、上部筐体が下部筐体に対してスライド回転可能に取り付けられた携帯電話機を代表とする携帯端末装置に関するものである。
【背景技術】
【０００２】
従来の携帯電話機の形状はストレート型または折り畳み型が一般的であったが、最近、上部筐体の主表面上のディスプレイが常に表に露出され、上部筐体を下部筐体に重ねた状態から上部筐体を下部筐体に対してヒンジ部を介して１８０度スライド回転させることにより、下部筐体上のキー入力部が現れる型（いわゆる１８０度オープンスタイル型）である（特許文献１参照）。以下、このような型を、便宜上、スライド回転型と呼ぶ。
【０００３】
スライド回転型の携帯端末装置（以下、単に携帯端末または端末という）において、特に、一方の筐体を片手に保持した状態で、他方の筐体を時計方向および反時計方向のいずれの方向にも回転させることができるタイプは、ユーザの利き手や好みによっていずれにも対応できる利点を有する。
【特許文献１】特開２００２−１３５３８０号公報
【発明の開示】
【発明が解決しようとする課題】
【０００４】
しかし、従来のスライド回転型の携帯端末装置では、両筐体の閉鎖状態における下部筐体に対する上部筐体の位置決めおよびその位置への保持を、ヒンジ部の機構およびその精度に頼っていた。そのため、特に上記上部筐体を時計方向および反時計方向のいずれの方向にも回転させることができるタイプでは、個々のヒンジ部のばらつきにより位置決め精度が低く、閉じた状態で下部筐体に対して上部筐体の位置ずれが生じたり、ふらついたりするおそれがあった。また、この不具合を防止するためにヒンジ部の機構を複雑にするとコスト増の原因となるという問題があった。
【０００５】
本発明はこのような背景においてなされたものであり、その目的は、比較的簡単な構成によりスライド回転型の両筐体の閉鎖時の位置決め保持を良好に行うことができる新規な構造を有する携帯端末装置を提供することにある。
【課題を解決するための手段】
【０００６】
本発明による携帯端末装置は、上部筐体および下部筐体と、前記上部筐体および前記下部筐体の各々の一端部において、両筐体の一方に対して他方をスライド回転可能に両筐体を支持し、両筐体を開放状態または閉鎖状態とすることができるヒンジ部と、前記一端部と逆の端部側において、前記上部筐体を前記下部筐体に対して離脱可能に係合させることにより前記閉鎖状態での位置決めを行う位置決め手段とを備えたことを特徴とする。
【０００７】
この構成において、ヒンジ部は、上部筐体および下部筐体の各々の一端部において、両筐体の一方に対して他方をスライド回転可能に両筐体を支持し、これにより、両筐体を開放状態または閉鎖状態とすることを可能とする。位置決め手段は、前記一端部と逆の端部側において、上部筐体を下部筐体に対して離脱可能に係合させることにより前記閉鎖状態での位置決めを行う。
【０００８】
前記閉鎖状態において、前記上部筐体は前記下部筐体に対して時計方向および反時計方向のいずれの方向にも回転可能とすることが好ましい。これにより、ユーザの利き手や好みの違いに対応可能となる。
【０００９】
前記位置決め手段は、その一実施の形態において、前記上部筐体および前記下部筐体の互いに対向する一方の面に設けられた突起部と、他方の面に設けられ前記突起部が嵌合する凹部とにより構成される。
【００１０】
前記凹部を有する側の筐体は、少なくとも前記突起部の回転軌跡に沿って設けられた摺動接触部材を有してもよく、この摺動接触部材の少なくとも１カ所に前記凹部が形成される。摺動接触部材は、筐体のスライド回転時に前記突起部が当接して摺動する経路を構成する。
【００１１】
前記摺動接触部材は、前記突起部の回転軌跡に対応する位置に形成された突条を有してもよい。この突条は、突起部が凹部から離脱し、摺動接触部材に接触しているときの突起部先端の高さを突条の高さ分だけ高くするよう機能する。これにより、下部筐体の主表面に押圧操作されるキー入力部が設けられている場合に、突起部だけの高さだけでなく、突条の高さも含めて、上部筐体の背面をキー入力部から遠ざけて、キーの誤押圧を防止する。
【００１２】
前記突起部および前記凹部は、少なくとも前記突起部の回転軌跡に沿う方向に沿って左右対称の傾斜面を有し、前記突起部が前記凹部に嵌合しているとき、前記突起部の両側の傾斜面において前記突起部が前記凹部の表面に接触し、前記突起部の先端部は前記凹部の表面に接触しないよう構成されることが好ましい。これにより、ヒンジ部の機構や精度に頼ることなく、両筐体の閉鎖状態における一方の筐体の他方に対する位置ずれやふらつきが生じることが防止される。
【発明の効果】
【００１３】
本発明によれば、スライド回転型の携帯端末において、ヒンジ部と逆の端部側に位置決め手段を設けたことにより、両筐体の閉鎖状態での位置ずれやふらつきが生じるのを抑え、閉鎖時の位置決めの精度を向上させることができる。これにより、ヒンジ部の部品精度にばらつきが許容されることになり、ヒンジ部に必要以上に複雑な機構や高い精度が要求されないので、ヒンジ部のコストを低減することができる。
【００１４】
また、位置決め手段を筐体の突起部および凹部により構成することにより、位置決め手段を比較的簡単な構成かつ低コストで実現することができる。
【発明を実施するための最良の形態】
【００１５】
以下、本発明の好適な実施の形態について図面を参照しながら詳細に説明する。ここでは携帯電話機を例として説明するが、本発明は、スライド回転型の構成であれば任意の携帯端末装置に適用可能である。
【００１６】
図１は本実施の形態に係るスライド回転型の携帯電話機である携帯端末１００の閉じた状態の外観を示している。この状態では、下部筐体２０２の主表面に対して上部筐体１０２の背面が重なるように、両筐体が互いに重ね合わされている。図２は、この携帯端末１００の開いた状態（開放状態）の外観を示している。
【００１７】
図２によく表れているように、携帯端末１００は、上部筐体１０２と下部筐体２０２を含み、上部筐体１０２の下側端部と下部筐体２０２の上側端部とが重なって、この位置に設けられたヒンジ部を中心に、上部筐体１０２が下部筐体２０２に対して右回りまたは左回りにスライド回転する。その回転軸は両筐体の主表面にほぼ垂直の方向である。
【００１８】
なお、本明細書において、「下部筐体に対して上部筐体を回転させる」という記載は相対的なものであり、筐体を開く回転動作は、相対的に、下部筐体および上部筐体の一方に対して他方を回転させれば足り、いずれを基準としてもよい。
【００１９】
上部筐体１０２の主表面上の大半のエリアは表示部１０３が占めている。表示部１０３は液晶や有機ＥＬ等のディスプレイデバイスを有し、その表示画面は常時、外部に露出している。表示部１０３の上部にはスピーカ１０１が配置されている。スピーカ１０１は、電気信号を可聴な音声に変換するデバイスである。表示部１０３の下側のエリアには、限られた操作を行うための操作部１０５が配置されている。操作部１０５には、発信キー、電源／終了キー、クリアキー等の各種キーおよびカーソル操作等に利用できるジョグダイヤル等を含む。上部筐体１０２の下端には音声を電気信号に変換するマイク１０６が配置されている。但し、マイク１０６の位置は図示の位置に限るものではない。図１の構成では、上下筐体を閉じたままでも（すなわち、下部筐体２０２のテンキーを含むキー入力部２０１を外部に出さなくても）、電話の着信やメールなどの確認をすることができ、内部の電話帳に電話番号が登録されている相手に対する発呼を行うことが可能である。
【００２０】
図２から分かるように、下部筐体２０２の主表面上には押圧操作されるキー入力部２０１が配置されており、図１の閉鎖状態ではキー入力部２０１は上部筐体１０２の背後に隠れる。キー入力部２０１にはテンキー（０〜９の数字のほか＊，＃の記号も含む）およびマナーキー、メモキー等が含まれる。下部筐体２０２の下端、すなわち、ヒンジ部とは反対側の端部であるキー入力部２０１の下側には、摺動接触部材２１１が固定配置されている。この摺動接触部材２１１の少なくとも一カ所（ここでは中央部）には凹部２１２が形成されている。この凹部２１２には、両筐体の閉鎖時に、後述する上部筐体１０２の背面側の上端部（図３参照）に設けられた突起部１１２が嵌合する。突起部１１２と凹部２１２とは、本発明における、上部筐体１０２を下部筐体２０２に対して離脱可能に係合させる位置決め手段を構成する。上記摺動接触部材２１１は、さらに、筐体のスライド回転時に突起部１１２が移動する軌跡に沿って湾曲する所定幅のプレート状部材を含み、このプレート状部材の表面に、突起部１１２の移動軌跡に沿って突条２１３が形成されている。突条２１３は、突起部１１２が当接するとともに、突起部１１２の高さと相俟って、上部筐体を下部筐体から所定量浮き上がらせて下部筐体表面のキー入力部２０１のキー等を誤って上部筐体が押下することのないように保証するよう機能する。突起部１１２の高さで十分であれば、突条２１３は必ずしも設ける必要はない。但し、突条２１３を利用すれば、突起部１１２を必要以上に高く突出させる必要がなくなる。従来は、筐体回転時にキー入力部２０１の表面が上部筐体の背面に接することのないように、下部筐体の表面を凹型に湾曲させていたが、本実施の形態の構成により、下部筐体の湾曲の必要性をなくす、または、低減することが可能となる。
【００２１】
また、摺動接触部材２１１自体、その材料は摩擦係数の小さい材料で形成することが望ましい。そのような材料としては、例えば、ポリアセタール樹脂や、ポリアミド（ナイロン）等の合成樹脂が挙げられる。本実施の形態では突起支持部材１１１も同様の材料で形成している。
【００２２】
他方、図３に示すように、上部筐体１０２の背面側の上端部には、突起支持部材１１１が固定配置されている。この突起支持部材１１１には、下部筐体の摺動接触部材２１１に形成された凹部２１２に対応する部位（ここでは中央部）に、主表面に垂直方向に突出する突起部１１２が形成されている。この例では、突起支持部材１１１は３つの分割部材１１１ａ，１１１ｂ，１１１ｃにより構成されている。これは、両端の分割部材１１１ｂ，１１１ｃの背後にビス穴（図示せず）が配置され、両分割部材のみを取り外して、ビスにアクセスできるようにするためである。したがって、突起支持部材１１１の分割は本発明に必須の要件ではない。また、突起支持部材１１１の長さは上部筐体１０２のほぼ全幅に亘って伸びているが、突起部１１２を有する中央部分のみの長さであってもよい。
【００２３】
図４は、下部筐体２０２の下側部分をより詳細に示した図である。この図から分かるように、突起支持部材１１１と同様に、摺動接触部材２１１も３つの分割部材２１１ａ，２１１ｂ，２１１ｃにより構成されている。この理由も突起支持部材１１１と同じく、背後にあるビス穴の存在による。但し、摺動接触部材２１１は、下部筐体２０２の全幅に亘って突起部１１２が当接するように、下部筐体２０２の全幅に亘って伸びることが望ましい。
【００２４】
図５は、上部筐体１０２と下部筐体２０２のより具体的な構成を示す分解斜視図である。この図から分かるように、上部筐体１０２は、上部材１２１と下部材１２２とからなり、下部材１２２の下端表面（ヒンジ部２３０とは反対側の端部表面）に突起支持部材１１１が着脱自在に固着されるようになっている。また、下部筐体２０２は、上部材２２１と下部材２２２とからなり、上部材２２１の下端表面（ヒンジ部２３０とは反対側の端部表面）に摺動接触部材２１１が着脱自在に固着されるようになっている。
【００２５】
下部筐体２０２の上部材２２１の上端側表面にはヒンジ部２３０が取り付けられている。ヒンジ部２３０は、回転軸２３３を中心に互いに回動可能な基部２３２および回転部２３１により構成されている。回転部２３１には、基部２３２に対する回転部２３１の回転を±１８０度に限定するための係止部２３４を有する。係止部２３４は、回転部２３１のの回転時に±１８０度の位置で、基部２３２または下部筐体２０２に設けられた係止部（図示せず）に当接し、ストッパとして機能する。
【００２６】
図６は、図５の具体的な構成の上部筐体１０２と下部筐体２０２とを組み立てて、閉じた（重ね合わせた）状態の平面図である。この図では、表示部や操作部の各パーツは未装着の状態を示している。
【００２７】
図７は図６の携帯端末のＹ−Ｙ矢視断面図である。この図から、両筐体の閉鎖時に、突起部１１２が凹部２１２に嵌合している状態が分かる。この嵌合部分を図８に拡大して示す。突起部１１２および凹部２１２は、突起部の回転軌跡に沿う方向に沿って左右対称の傾斜面（非直立面）を有する。突起部１１２が凹部２１２に嵌合しているとき、突起部１１２の両側の傾斜面１１４，１１５において突起部１１２が凹部２１２の表面に接触するが、突起部１１２の先端部１１３は凹部２１２の表面に接触しない。そのために、凹部２１２の底部の曲率半径Ｒ１と、突起部１１２の先端湾曲部の曲率半径Ｒ２とは、Ｒ２＞Ｒ１となるように構成されている。これにより、下部筐体に対して上部筐体が横ずれすることなく、例えば両筐体の幅が等しい場合、両筐体の側辺が正確に一致した位置に位置決め保持される。
【００２８】
なお、ヒンジ部２３０の働きにより、上部筐体と下部筐体との間には、ヒンジ部２３０の軸方向に沿って両者を接近させた状態に維持しようとする力（換言すれば、当該軸方向において両筐体を引き離そうとする力に抗する力）が作用している。したがって、突起部１１２が凹部２１２に嵌合している状態は、外力が働かない限り、その状態が維持される。ユーザが一方の筐体に対して他方の筐体を回転させる力を加えたとき、突起部１１２が凹部２１２から離脱して摺動接触部材２１１の突条２１３上に乗り上げる。この際、凹部２１２の傾斜面上を突起部１２２の当接点（または面）が摺動する。このとき、筐体を回転させる力に基づいて、下部筐体を上部筐体から引き離す方向の力成分が生じる。よって、突起部１１２を凹部２１２から離脱させるために、ユーザは上部筐体を下部筐体から持ち上げる必要はなく単に筐体を回転させればよい。
【００２９】
図９は図６の携帯端末のＸ−Ｘ矢視断面の要部を示している。図７と比べて分かるように、突起部１１２の断面形状は、互いに直交するＸ−Ｘ断面とＹ−Ｙ断面とで同じである必要はない。
【００３０】
図１０は摺動接触部材２１１の中央の分割部材２１１ａの具体的な構成例を示している。図１０（ａ）はその平面図、図１０（ｂ）は背面図、図１０（ｃ）は左側面図、図１０（ｄ）は図１０（ａ）のＣ−Ｃ矢視断面図、図１０（ｅ）は正面図、図１０（ｆ）は図１０（ａ）のＢ−Ｂ矢視断面図、図１０（ｇ）は図１０（ａ）のＡ−Ａ矢視断面図である。この分割部材２１１ａは、裏側に突出した係合部２１４により、下部筐体２０２の上部材２２１に着脱自在に固着される。
【００３１】
図１１は突起支持部材１１１の中央の分割部材１１１ａの具体的構成例を示している。図１１（ａ）は分割部材１１１ａの平面図、図１１（ｂ）は図１１（ａ）のＡ−Ａ矢視断面図、図１１（ｃ）は裏面図である。この分割部材１１１ａは、両側に突出した係合部１１６により、上部筐体１０２の下部材１２２に着脱自在に固着される。
【００３２】
以上、本発明の好適な実施の形態について説明したが、上記で言及した以外にも種々の変形、変更を行うことが可能である。
【００３３】
例えば、突起部は上部筐体側かつ凹部は下部筐体側に設けたが、この関係は逆であってもよい。但し、下部筐体表面にはキー入力部が配置されているので、その操作上および外観上から、上記構成の方が有利と考えられる。また、上述したように、本発明は、筐体を時計方向および反時計方向のいずれの方向にも回転可能なタイプに適用して好適であるが、一方向のみに回転可能なタイプへの適用を排除するものではない。
【図面の簡単な説明】
【００３４】
【図１】本発明の実施の形態に係るスライド回転型の携帯電話機である携帯端末の閉鎖状態の外観図である。
【図２】図１の携帯端末の開放状態の外観図である。
【図３】図１の携帯端末の上部筐体の背面側の上端部の細部を示す図である。
【図４】図１の携帯端末の下側部分をより詳細に示した図である。
【図５】図１の上部筐体と下部筐体のより具体的な構成を示す分解斜視図である。
【図６】図５の具体的な構成の上部筐体と下部筐体を組み立てて、閉じた（重ね合わせた）状態の平面図である。
【図７】図６の携帯端末のＹ−Ｙ矢視断面図である。
【図８】図７の嵌合部分の拡大図である。
【図９】図６の携帯端末のＸ−Ｘ矢視断面の要部を示す図である。
【図１０】本発明の実施の形態における摺動接触部材の中央の分割部材の具体的な構成例を示す図である。
【図１１】本発明の実施の形態における突起支持部材の中央の分割部材の具体的構成例を示す図である。
【符号の説明】
【００３５】
１００…携帯端末、２０２…下部筐体、１０２…上部筐体、１０３…表示部、１０１…スピーカ、１０５…操作部、１０６…マイク、１１１…突起支持部材、１１１ａ…分割部材、１１１ｂ…分割部材、１１２…突起部、１１３…先端部、１１４…傾斜面、１１６…係合部、１２１…上部材、１２２…下部材、２０１…キー入力部、２０３…アンテナ、２１１…摺動接触部材、２１１ａ…分割部材、２１２…凹部、２１３…突条、２１４…係合部、２２１…上部材、２２２…下部材、２３０…ヒンジ部、２３１…回転部、２３２…基部、２３３…回転軸、２３４…係止部
【図１】
2005117450.tif 000003
【図２】
2005117450.tif 000004
【図３】
2005117450.tif 000005
【図４】
2005117450.tif 000006
【図５】
2005117450.tif 000007
【図６】
2005117450.tif 000008
【図７】
2005117450.tif 000009
【図８】
2005117450.tif 000010
【図９】
2005117450.tif 000011
【図１０】
2005117450.tif 000012
【図１１】
2005117450.tif 000013